(57)【要約】【課題】鳩目メスと直線メスの間の布屑を除去する。【解決手段】鳩目メス部１０１と直線メス部１０２とを有する布切りメス１００と、布切りメスに対向して配置され鳩目メス受け部１６０ｂと直線メス受け部１６０ｃとを有するメス受け１６０と、鳩目メス部に設けられたメス部貫通穴１０１ｅ、鳩目メス部と鳩目メス受け部が合致した際にメス部貫通穴に連通する鳩目メス受け部に設けられたメス受け部貫通穴１６０ａ、両貫通穴が連接した際にエアーを吐出するエアー吐出手段７７ａ，７７ｂにより構成されて鳩目部の打抜き片を外部に排出する打抜き片除去手段と、鳩目メス部と直線メス部の一方を他方に対し移動可能とする移動手段１０８，１１０と、移動可能とされた一方が隔離位置にあることに関連して、エアー吐出手段によりエアーを吐出して一方と他方との間に蓄積された布屑を除去する布除去手段とを備えた。【選択図】図７
2004173783.tif 000002
【特許請求の範囲】
【請求項１】
被縫製物にボタン穴を形成するとともにボタン穴の周囲に穴かがり縫い目を形成するミシンに設けられ、
鳩目部と直線部とからなる鳩目ボタン穴の鳩目部を形成する鳩目メス部と直線部を形成する直線メス部とを有する布切りメスと、前記布切りメスに上下に対向して配置され前記鳩目メス部と合致する鳩目メス受け部と前記直線メス部と合致する直線メス受け部とを有するメス受けとを備える布切り手段と、
前記布切りメスと前記メス受けが接離するように一方を上下方向に駆動して、布切りメスとメス受けとが接し合致したときに被縫製物を切断し前記ボタン穴を形成する布切り駆動手段と、
鳩目穴を形成した際に発生する鳩目部の打ち抜き片を除去するために前記鳩目メス部に設けられたメス部貫通穴と、前記鳩目メス部と前記鳩目メス受け部が合致した際に一端が前記メス部貫通穴に連通して前記メス部貫通穴に向ってエアーを吐出する前記鳩目メス受け部に設けられたメス受け部貫通穴と、前記メス受け部貫通穴の他端に連結されて前記両貫通穴が連接した際にエアーを吐出するエアー吐出手段と、により構成されて前記鳩目部の打ち抜き片を外部に排出する打ち抜き片除去手段と、
形成するボタン穴の種類に応じて、前記布切りメスの前記鳩目メス部と前記直線メス部の一方を、他方に対し、近接位置と隔離位置とに移動可能とする移動手段と、
前記移動可能とされた一方が前記隔離位置にあることに関連して、前記エアー吐出手段によりエアーを吐出して前記移動可能とされた一方と前記他方との間に蓄積された布屑を除去する布除去手段とを備えたことを特徴とするミシンの布切断装置。
【請求項２】
前記メス受け貫通穴と前記布切りメスとの間に被縫製物があるか否かを検出する検出手段を有し、該検出手段により、被縫製物無しと判定された場合のみ、前記エアー吐出手段により前記鳩目メス部と前記直線メス部との間にエアーを吐出することを特徴とする請求項１記載のミシンの布切断装置。
【発明の詳細な説明】
【０００１】
【発明の属する技術分野】
本発明は、被縫製物にボタン穴を形成するためのミシンの布切断装置に関する。
【０００２】
【従来の技術】
一般に、布（被縫製物）に形成したボタン穴の周囲にかがり縫いを行うミシンとしてボタン穴かがり縫いミシンが知られている（例えば、特許文献１号参照）。このボタン穴かがりミシンには、ミシン針の近傍に、上下に対峙してメスとメス受けが設けられている。
なお、ボタン穴としては、滴状の穴（鳩目部）と直線状の穴（直線部）が連結して形成される鳩目穴（鳩目ボタン穴ともいう）と、直線状の穴（直線部）のみから形成される眠り目穴とがある。
【０００３】
そして、鳩目穴形成用のメスは、例えば、鳩目部を形成する滴状の刃と直線部を形成する直線状の刃とが連結した形状を備えており、また、眠り目穴形成用のメスは、直線部を形成する直線状の刃を備えている。そして、メス受け上に布地を載置した状態で、メスを下降駆動し、布地及びメス受けに対して押し当てることでボタン穴を形成するようになっている。
【０００４】
【特許文献１】
特開２００１−３２７７８２号公報（第２−４頁、第１〜２図）
【０００５】
【発明が解決しようとする課題】
しかしながら、ボタン穴は、服の種類やデザイン毎に異なる形状が要求されるが、従来のボタン穴かがり縫いミシンにおいては、異なる形状のボタン穴を形成する際には、基本的にメス及びメス受けを交換する必要がある。従って、単に、ボタン穴の直線部の長さのみを変更する場合でも、これに対応したメスとメス受けを用いる必要があり、、これらメス及びメス受け交換作業に手間がかかっていた。
また、スーツの襟に形成するフラワーホールのように、ボタン穴以外の穴の形成にボタン穴かがりミシンを用いることがあるが、このフラワーホールには、直線部分のない鳩目部のみの穴を形成する場合と、眠り目で形成する場合とがあり、いずれの場合にもボタン穴の長さや種類を変更するためには上記同様にメスとメス受けを交換しなければならなかった。
【０００６】
本発明の課題は、上述の問題を考慮したものであり、鳩目部と直線部とを切り換えて形成し、布切りメス及びメス受けを取りかえることなく、様々な長さの種類のボタン穴を形成できるミシンの制御装置及びミシンの布切断装置を提供することにあり、特に、鳩目部と直線部との切り換えをスムーズにするため布屑の除去を容易にすることを目的とする。
【０００７】
【課題を解決するための手段】
上記目的を達成するため請求項１記載のミシンの布切断装置によれば、被縫製物にボタン穴を形成するとともにボタン穴の周囲に穴かがり縫い目を形成するミシン２００に設けられ、鳩目部９０と直線部９１とからなる鳩目ボタン穴の鳩目部を形成する鳩目メス部１０１と直線部を形成する直線メス部１０２とを有する布切りメス１００と、前記布切りメスに上下に対向して配置され前記鳩目メス部と合致する鳩目メス受け部と前記直線メス部と合致する直線メス受け部とを有するメス受け１６０とを備える布切り手段２０１と、前記布切りメスと前記メス受けが接離するように一方を上下方向に駆動して、布切りメスとメス受けとが接し合致したときに被縫製物を切断し前記ボタン穴を形成する布切り駆動手段１７０と、鳩目穴を形成した際に発生する鳩目部の打ち抜き片を除去するために前記鳩目メス部に設けられたメス部貫通穴１０１ｅ，１０４ａと、前記鳩目メス部と前記鳩目メス受け部が合致した際に一端が前記メス部貫通穴に連通して前記メス部貫通穴に向ってエアーを吐出する前記鳩目メス受け部に設けられたメス受け部貫通穴１６０ａと、前記メス部貫通穴の他端に連結されて前記両貫通穴が連接した際にエアーを吐出するエアー吐出手段７７ａ，７７ｂと、により構成されて前記鳩目部の打ち抜き片を外部に排出する打ち抜き片除去手段と、形成するボタン穴の種類に応じて、前記布切りメスの前記鳩目メス部と前記直線メス部の一方を、他方に対し、近接位置と隔離位置とに移動可能とする移動手段１０８，１１０と、前記移動可能とされた一方が前記隔離位置にあることに関連して、前記エアー吐出手段によりエアーを吐出して前記移動可能とされた一方と前記他方との間に蓄積された布屑を除去する布除去手段とを備えたことを特徴とするミシンの布切断装置が提供される。
【０００８】
請求項２記載のミシンの布切断装置によれば、前記メス受け貫通穴と前記布切りメスとの間に被縫製物があるか否かを検出する検出手段１９０を有し、該検出手段により、被縫製物無しと判定された場合のみ、前記エアー吐出手段により前記鳩目メス部と前記直線メス部との間にエアーを吐出することを特徴とする請求項１記載のミシンの布切断装置が提供される。
【０００９】
【発明の実施の形態】
以下、図面に基づいて本発明の実施の形態について説明する。
＜第１の実施の形態＞
本発明の第１の実施の形態によるミシンの布切断装置をボタン穴かがりミシン（以下、「ミシン」という。）に適用した場合について詳細に説明する。
図１〜図４に示すミシン２００は、自動制御により、ボタン穴を形成するとともに、該ボタン穴の周囲にかがり縫いを施すものである。前記ボタン穴としては、例えば、図１５（ａ）に示すように、滴状の穴（鳩目部９０）と直線状の穴（直線部９１）が連結して形成される鳩目穴９２（以下、「鳩目ボタン穴」ともいう）と、図１５（ｃ）に示すように、直線状の穴９３のみから形成される眠り目穴９４とがある。
【００１０】
ミシン２００は、被縫製物が上面側に載置されるベッド部１１、該ベッド部１１から上方に立ち上がった状態の脚柱部１２、該脚柱部１２からベッド部１１上にその長手方向に沿って延出したアーム部１３、被縫製物を水平面内で移動させる送り台１４、送り台１４の上面に布を押える布押え１６、ミシン２００の動作を制御する制御装置１８０（図１２を参照）、ボタン穴を形成するための布切断装置２０１、メス受け駆動手段（布切り駆動手段）１７０、布センサ（検出手段）１９０等から概略構成される。
【００１１】
布切断装置２０１は、図１、図２などに示すように、メスユニット（布切りメス）１００とメス受け１６０とからなる布切り手段を有し、メス受け１６０が上、メスユニット１００が下に対向するように設けられている。
メスユニット１００は、図５、図６に示すように、主に、メス土台部材１０３上に、鳩目用メス部（鳩目メス部）１０１と直線用メス部（直線メス部）１０２とを設けて構成されるものである。
そして、前記メス受け駆動手段１７０の制御により、布切断装置２０１のメスユニット１００上に布を載置した状態で、メス受け１６０が下降してボタン穴を形成する構造を備えている。
【００１２】
布センサ１９０は、メス受け１６０とメスユニット１００との間に被縫製物があるか否かを検出するためのものであり、発光部と受光部から構成され、被縫製物が存在すると発光部から照射された光の反射光が受光部で受光できないことにより被縫製物を検出する。
【００１３】
次に図１〜７を用いて布切断装置２０１について詳細に説明する。
鳩目用メス部１０１は、水平方向に主面を有する略矩形状の平板である支持板１０１ａと、該支持板１０１ａから立設し、略円筒形状に形成された円筒部１０１ｃとから一体に形成され、円筒部１０１ｃの上端部には、鳩目部９０を形成するための滴状の鳩目メス１０１ｂが形成されている。円筒部１０１ｃの内側は鉛直方向に貫通する打ち抜き片除去経路（メス部貫通穴）１０１ｅが形成されている。また、支持板１０１ａの上面の後角には直角に切りかかれた切り欠き１０１ｄが形成され、後述のストッパー部材１２０によって係止されるようになっている。
【００１４】
直線用メス部１０２は、水平方向に主面を有する略矩形状の平板である支持板１０２ａと、該支持板１０２ａから立設する薄板部１０２ｃとから一体に形成され、該薄板部１０２ｃの上端部には、鳩目ボタン穴９２の直線部９１や、眠り目穴９４を形成するための直線メス１０２ｂが形成されている。前記鳩目メス１０１ｂと直線メス１０２ｂとにより布切りメスが構成され、該布切りメスは、図１等から分かるように、直線メス１０２ｂにより形成される直線部９１や眠り目穴９４の方向が前後方向になるように設けられる。
【００１５】
メス土台部材１０３は、図５に示すように、上方から見ると後縁部が円弧状でほぼ矩形状に形成された土台板１０３ａによって、メスユニット１００全体を支持する部材である。
メス土台部材１０３は、固定ネジ１５２、１５２によって、ベッド部１１に固定されている。
さらに、土台板１０３ａにネジ１５１によって固定されているガイドキー１５０が、ベッド部１１に形成された図示しない溝に沿うことで、土台板１０３ａは、前後方向に直交する左右方向（図５の矢印Ａ方向）にスライド可能となっており、左右位置を適宜調節された状態で、前記固定ネジ１５２、１５２で固定されるようになっている。
【００１６】
メス土台部材１０３の前部には、鳩目用メス部１０１及び直線用メス部１０２を支持するためのメス支持体１０３ｂが土台板１０３ａから立ち上がるように一体に形成されている。メス支持体１０３ｂの上部は直方体状のブロック体１０３ｃとなっており、そのブロック体１０３ｃの上面に凹面（図示略）が形成され、該凹面に前記直線用メス部１０２の支持板１０２ａがはめ込まれている。
さらに、支持板１０２ａの一側縁側は、上から直線メス固定クランプ１０５ｂによって押えられ、この直線メス固定クランプ１０５ｂは直線メス固定ネジ１０６ｂによってブロック体１０３ｃの側面に固定されている。これにより直線用メス部１０２はブロック体１０３ｃ、つまりメス土台部材１０３に確実に固定される。
【００１７】
ブロック体１０３ｃの内部の中心部には、図６で破断線Ｍ２で示すように、調節ネジ１１５ａ、１１５ｂがねじ込まれている。これら調節ネジ１１５ａ、１１５ｂのねじこみ程度を調節することで、調節ネジ１１５ａの頭部を鳩目メス用土台１０４側に適度に突出させ、これにより、起立した状態（図６の状態）の鳩目メス用土台１０４の前側位置を決めている。
【００１８】
また、メス支持体１０３ｂの内側には直方体状の凹部１０３ｄ（図６）が形成され、この凹部１０３ｄ内に鳩目メス用土台１０４がはめ込まれている。鳩目メス用土台１０４の上面には凹面（図示略）が形成され、該凹面に鳩目用メス部１０１の支持板１０１ａがはめ込まれている。メス支持体１０３ｂと鳩目メス用土台１０４の下部を貫通するように、支点軸１０７が取り付けられ、鳩目メス用土台１０４はメス支持体１０３ｂに対して支点軸１０７を中心に回動可能となっている。
さらに、支持板１０１ａの一側縁側は、上から鳩目メス固定クランプ１０５ａによって押えられ、この鳩目メス固定クランプ１０５ａは鳩目メス固定ネジ１０６ａによって鳩目メス用土台１０４に固定されている。これにより鳩目用メス部１０１は鳩目メス用土台１０４に確実に固定される。
【００１９】
鳩目メス用土台１０４の鳩目メス固定クランプ１０５ａとは逆の側面には、鳩目用メス部１０１の位置決めするストッパー部材１２０がネジ１２１によって取り付けられている。ストッパー部材１２０には図示しない横孔が形成され、前記ネジ１２１に対してこの横孔をスライドさせることで、ストッパー部材１２０の前後方向の位置を移動させることができる。ストッパー部材１２０の上面には鳩目メス用土台１０４の上面に張り出す張り出し部１２０ａが形成されている。ストッパー部材１２０を適宜スライドさせて位置調節した状態でネジ１２１で鳩目メス用土台１０４に固定した上で、鳩目用メス部１０１の切り欠き１０１ｄを張り出し部１２０ａに突き当てて鳩目用メス部１０１を位置決めし、前述のように鳩目メス固定クランプ１０５ａ等で固定するようになっている。
【００２０】
前記支点軸１０７にはバネ１０８が嵌められ、このバネ１０８の両端はそれぞれ、鳩目メス用土台１０４に固定された土台ピン１０９と、土台板１０３ａとに対して押し付けるように当接している。これにより、鳩目メス用土台１０４は、バネ１０８により図６の反時計方向に付勢されている。
【００２１】
一方、メス土台部材１０３の後方には、複動型のエアシリンダ１１０が設けられている。エアシリンダ１１０は、土台板１０３ａに対し止ネジ１１３、１１３によって水平方向の取付位置を調節可能に取り付けられているシリンダ取付板１１１に、シリンダネジ１１２、１１２により固定されている。エアシリンダ１１０のロッド１１０ａの先端には、シリンダピン１１４がねじ込まれている。このシリンダピン１１４の先端が鳩目メス用土台１０４に当接している。
【００２２】
シリンダピン１１４には水平方向に貫通するリンク孔１１４ａが形成され、このリンク孔１１４ａにリンク１１６が通されている。リンク１１６は、上から見ると図５に示すように略コ字状に形成されている。リンク１１６の両端は、図６に示すように、Ｕ字状に形成され、鳩目メス用土台１０４に固定されているリンクピン１１７、１１７にそれぞれに掛けられている。リンク１１６は、シリンダピン１１４とリンクピン１１７、１１７に対してスライド自在である。なお、リンクピン１１７、１１７それぞれの末端には、Ｅリング１１８が取り付けられ、リンク１１６がリンクピン１１７、１１７から外れないようリンク１１６のスライド移動を規制している。
【００２３】
エアシリンダ１１０がオフのときロッド１１０ａが突出し、このときシリンダピン１１４によって鳩目メス用土台１０４を時計方向に押し、この力は前記バネ１０８の付勢力よりも大きく、鳩目メス用土台１０４は図６に示す起立した状態を保つ。
エアシリンダ１１０がオンになると、ロッド１１０ａが引っ込み、リンク１１６によってリンクピン１１７、１１７を介して鳩目メス用土台１０４が引っ張られるとともに、バネ１０８の付勢力によって、支点軸１０７を軸に反時計方向に回動し、倒れるようになっている（図７（ｂ）参照）。
すなわち、エアシリンダ１１０とバネ１０８が本発明の移動手段となる。
なお、鳩目メス用土台１０４を動作させる駆動源としては、エアシリンダ１１０のような複動型のシリンダに限らず、他の種類のシリンダでもよいし、ソレノイドやモータ等のアクチュエータを用いてもよい。
【００２４】
鳩目メス用土台１０４の内部には、鳩目用メス部１０１のメス部貫通穴１０１ｅに連続するように、打ち抜き片除去経路１０４ａが後ろ斜め下に向かうように形成されている。
鳩目メス１０１ｂによって布地が切断されて鳩目部９０が形成されると、この鳩目部９０と同形状の打ち抜き片が布地から分離する。打ち抜き片除去経路１０４ａの後端部は開口となっており、上記の打ち抜き片は、後述する打ち抜き片除去動作の際、メス受け部貫通穴１６０ａからエアーが吐き出されることにより、打ち抜き片除去経路１０１ｅ，１０４ａを通って、前記開口から落ちるようになっている。
メス土台部材１０３の土台板１０３ａにも孔（図示略）が形成され、この孔に対して円筒形状のボス１３１が圧入されている。前記開口から落ちた打ち抜き片は、ボス１３１に形成されているボス孔１３１ａ内に落ちたり、あるいはその上縁部近傍に落ちる。
【００２５】
また、鳩目用メス部１０１と直線用メス部１０２の間に介在する布屑や糸屑は、後述する布屑除去動作１および２の際、メス受け部貫通穴１６０ａからエアーが吐き出されることにより、一部はボス孔１３１ａ内やその上縁部近傍に落ち、一部は周辺に吹き飛ばされる。
上記のように、打ち抜き片が排出される経路は、打ち抜き片除去経路１０４ａの開口で一端途切れて、ボス１３１側に続くようになっている。
なお、土台板１０３ａの上面には、打ち抜き片除去経路１０４ａの前記開口から排出された打ち抜き片が飛び散らないように、前記ボス孔１３１ａの後方を囲むように打ち抜き片ガード１２２が止めネジ１２３、１２３によって固定されている。
【００２６】
前記ボス１３１の内部に、ボス孔１３１ａに連通するようにパイプ１３３の先端が取り付けられている。パイプ１３３の他端は吸引器１３４内部に接続されている。パイプ１３３は、ボス１３１に対しては止めネジ１３２により、吸引器１３４に対しては止めネジ１３５により固定されている。
【００２７】
吸引器１３４は、図１に示すように、ベッド部１１下内部に設置されている。図６に示すように、吸引器１３４に対して留め金１４２が固定され、この留め金１４２によってエアチューブ１４０が吸引器１３４に固定されている。エアチューブ１４０は図示しないエア供給源からのエアを吸引器１３４に対して供給するもので、その先端が継手１４１を介して吸引器１３４内部のエアパイプ１３６に接続されている。エアパイプ１３６の継手１４１側の端部はしぼられており、エアチューブ１４０、継手１４１を通って供給されたエアが加圧されて、エアパイプ１３６内に矢印Ａ方向に供給されるようになっている。エアパイプ１３６の先端には、外部に出ている接続パイプ１３７が接続され、さらに接続パイプ１３７の先端にホース１３８が環状のバンド１３９によって接続されている。また、前記パイプ１３３は吸引器１３４内においてエアパイプ１３６に接続されている。
【００２８】
エアチューブ１４０からエアが供給され、矢印Ａ方向に風が起こり、そのとき生じる負圧によりパイプ１３３内に矢印Ｂ方向の風が生じる。この空気の流れにより、打ち抜き片が吸引され、ホース１３８によってミシン２００の外に導かれるようになっている。
なお、図６において、パイプ１３３の大部分と接続パイプ１３７、ホース１３８については断面で示し、吸引器１３４については内部構造を概略で示している。
【００２９】
平面メス受け１６０は、図７に示すように、メス受け取付台１６２に固定され、平坦に形成されたその下面に、鳩目メス１０１ｂと合致する鳩目メス受け部１６０ｂと直線メス１０２ｂと合致する直線メス受け部１６０ｃが形成されている。平面メス受け１６０と鳩目メス１０１ｂと直線メス１０２ｂとの間で布地を押し切りながら被縫製物を切断してボタン穴を形成する。
後述するように、メス受け取付台１６２はメス受け駆動手段（布切り駆動手段）１７０の直動軸４０の下端に固定されている。これにより、メス受け１６０はメス受け駆動手段１７０によって所定のタイミングで上下に駆動されるようになっている。
【００３０】
メス受け取付台１６２の内部には、横方向にエアが通る横エア孔１６５が形成されている。横エア孔１６５の一端はキャップ１６４によって塞がれており、他端には継手１６３が取り付けられ、この継手１６３にエアライン１７５（図２）が接続されている。横エア孔１６５のほぼ中央から下方に向かって縦エア孔１６６が形成され、さらに縦エア孔１６６は平面メス受け１６０内に形成されたメス受け部貫通穴（メス受け部貫通穴）１６０ａに接続している。メス受け部貫通穴１６０ａは、鳩目メス１０１ｂの真上に位置する。よって、エアライン１７５から継手１６３を介してエアが供給されると、そのエアは平面メス受け１６０のメス受け部貫通穴１６０ａから吹き出す。
このようにメス受け部貫通穴１６０ａからエアが吹き出すと、平面メス受け１６０と鳩目メス１０１ｂとによって切断された打ち抜き片は鳩目用メス部１０１内のメス部貫通穴１０１ｅ内に落とされ、鳩目用メス部１０１と直線用メス部１０２の間の布屑・糸屑は、その一部がボス孔１３１ａ内やその上縁部近傍に落ち、その一部は周辺に吹き飛ばされるようになっている。
【００３１】
ところで、起立した状態の鳩目メス用土台１０４上の鳩目メス１０１ｂと、直線メス１０２ｂとの間には図６、図７（ａ）で明らかなように、隙間ｗ２が存在する。この隙間ｗ２の長さは、平面メス受け１６０と直線メス１０２ｂが合致する長さｗ１より短くなるよう設定されている。特に、ｗ１−ｗ２＝２ｍｍ以下であることが好ましい。このように設定することで、鳩目メス１０１ｂ・直線メス１０２ｂと平面メス受け１６０との間で鳩目ボタン穴を形成する際に、１回目に切断し、次いで、隙間ｗ２に対応する切残し部分を切断する際に、直線メス１０２ｂと平面メス受け１６０とによって１回の動作で切断でき、しかも、切断端が１回目の切断端と少し重なることから確実に切断することができる。
ここで、隙間ｗ２の長さが、図１４（ａ）の長さｍｃに対応し、平面メス受け１６０と直線メス１０２ｂが合致する長さｗ１が図１４（ａ）の長さｍｂに対応する。以下においても、隙間ｗ２の長さは「ｍｃ」と、長さｗ１は「ｍｂ」として説明する。
【００３２】
さらに本実施の形態の布切断装置２０１では、平面メス受け１６０の代わりに、図８に示すように段差メス受け１６７を取り付けることができる。この段差メス受け１６７の下面は、直線メス１０２ｂと合致する直線メス受け部１６９と、直線メス受け部１６９よりも段差１６７ａ分下方に突出し鳩目メス１０１ｂと合致する鳩目メス受け部１６８とからなる。段差１６７ａは、鳩目メス１０１ｂと鳩目メス受け部１６８とが合致する際に、直線メス１０２ｂが直線メス受け部１６９に触れないように所定高さ、例えば２〜３ｍｍの高さに形成されている。  段差メス受け１６７には、平面メス受け１６０同様に、メス受け部貫通穴１６７ｂが形成されている。
この段差メス受け１６７を用いる場合には、鳩目部９０のみ形成することができるようになる。動作の詳細については後述する。
【００３３】
次に、メス受け１６０を駆動させるためのメス受け駆動手段１７０について説明する。図１〜４に示すように、メス受け駆動手段１７０は、パルスモータである布切りモータ２１、ボールねじ２４、リンク腕３１、駆動軸３５、駆動ギア３９および直動軸４０から概略構成されている。
電気的な駆動手段である布切りモータ２１はベッド部１１に固定されており、布切りモータ２１の駆動力はモータギア２２を介して、噛み合うボールねじギア２３に伝わる。このボールねじギア２３は、ミシン２００に対して回転自在に垂直方向に設けられたボールねじ２４に取り付けられている。従って、布切りモータ２１の駆動力により、ボールねじギア２３を介してボールねじ２４が回転するようになっている。
このボールねじ２４に設けられたボールねじナット２７は、ボールねじ２４の回転によりボールねじ２４に沿って上下に移動可能となっている。ボールねじナット２７の上部には、ハウジング２８が固定されており、ボールねじナット２７と共に上下動する。
【００３４】
リンク腕３１は、ハウジング２８の両側面を挟むように２本設けられ（図３では１本のみ）、それぞれの一端がハウジング２８の両側面に回動可能に取り付けられ、他端はリンク軸３２ｂにより、二股状に形成されたレバー３４の一端部に回動可能に固定されている。
駆動軸３５は、図４に示すように、ミシンフレーム１５に対してほぼ平行であって、回転自在に支持されている。駆動軸３５の一端にはレバー３４の他端部が回動自在に取り付けられている。そして、レバー３４が、リンク腕３１を介して駆動され、駆動軸３５を支点として、一端側（リンク腕３１側）が下がるように回転した際に、レバー３４により駆動軸３５が回転するようになっている。
また、駆動軸３５の他端には、駆動ギア３９が固定されている。この駆動ギア３９は、図２に示すように、直動軸４０の上部に形成されたラック４１に噛み合っており、駆動軸３５と共に回転することにより、直動軸４０を上下動させるようになっている。
【００３５】
直動軸４０は、駆動ギア３９側が切り欠かれた略円筒状の直動メタル４２内に納められており、この直動メタル４２の内面の２箇所に設けられた、直動メタル４２の長さ方向と平行に伸びる溝部４３に、直動軸４０外面の円周方向２箇所に設けられた凸部４４が溝部４３に沿って移動自在に嵌合することで、左右に回転することなく上下に摺動可能となっている。
また、直動軸４０の下端には、メス受け取付台１６２が設けられており、このメス受け取付台１６２にメス受け１６０が取り付けられている。
【００３６】
次にメス受け駆動手段１７０の動作を説明する。
布切りモータ２１が作動すると、モータギア２２、ボールねじギア２３を介してボールねじ２４が回転し、ボールねじナット２７及びハウジング２８がボールねじ２４上を下降する。これにより、ハウジング２８に連結されている２本のリンク腕３１も下降し、レバー３４の一端を図３において時計周り方向に押し下げる。さらにレバー３４は駆動軸３５を図３中における時計周りに回転させる。
駆動軸３５が回転すると、駆動軸３５に設けられた駆動ギア３９が図２における反時計周りに回転し、駆動ギア３９に噛み合っているラック４１を有する直動軸４０が下降し、これによりメス受け１６０が上昇位置から、前記直線部切断位置又は鳩目部切断位置まで下降し、メスユニット１００上の被縫製物を切断する。
【００３７】
切断後は、布切りモータ２１を逆回転させてボールねじナット２７及びハウジング２８を上方に移動させることによりレバー３４が回転して、駆動軸３５が図３の反時計周りに回転し、駆動ギア３９が図２における時計周りに回転するので、直動軸４０が上昇しメス受け１６０が被縫製物から離れる。
【００３８】
上記構成を有する布切断装置２０１は、前後方向に布地を送る本発明の相対移動手段である送り台１４との協働により、布地に所定の穴を形成していく。以下に、布切断装置２０１と送り台１４の機械的な動作を図５〜図１１を参照しながら説明する。図９〜図１１はそれぞれ段階を追ってボタン穴を形成する様子を示す図であり、グレー色はその段階で切断した箇所、斜線部分は前段階で切断した箇所、符号Ｐはボタン穴の周囲のかがり縫い目を示す。
（１）メス受けとしては平面メス受け１６０を取り付け、かがり縫目を縫製した後に鳩目ボタン穴９２を形成する場合について説明する。
まず、かがり縫いＰを形成後、図示しない機構により上糸を切断し、送り台１４により布地（被縫製物）をメスユニット１００上である所定の布切り位置へ搬送する。このとき、布切断装置２０１は、図７（ａ）に示すように、エアシリンダ１１０はオフ状態でロッド１１０ａは突出し、シリンダピン１１４により鳩目メス用土台１０４が押され起立した状態である。鳩目メス１０１ｂは被縫製物を切断可能な第一位置にある。
【００３９】
メス受け駆動手段１７０の駆動により、平面メス受け１６０が所定量下降していく。平面メス受け１６０が鳩目メス１０１ｂ及び直線メス１０２ｂと近接するある位置まで下降してくると、メス受け取付台１６２の継手１６３を介してエアが供給され始め、横エア孔１６５、縦エア孔１６６を通って、メス受け部貫通穴１６０ａから、鳩目用メス部１０１のメス部貫通穴１０１ｅに向かってエアが噴射される。この上方からのエアの噴射は、鳩目部９０の切断後に平面メス受け１６０が上昇し鳩目メス１０１ｂから十分離れるまで続く。
平面メス受け１６０が下降しつづけ、終には、鳩目メス１０１ｂ及び直線メス１０２ｂと合致し、被縫製物には、図９（ａ）のグレー色で示すように、鳩目部９０と、直線部９１の一部である第１切込みｈ１が形成される。鳩目部９０と第１切込みｈ１との間には、前述の隙間長さｍｃに対応する切り残し部分Ｓが存在している。
【００４０】
この切断の際に、鳩目メス１０１ｂと平面メス受け１６０との間に滴状の打ち抜き片が発生すると、打ち抜き片は上方から吹き出すエアにより下方に押され、メス部貫通穴１０１ｅ、１０４ａを通り、鳩目メス用土台１０４から排出され、打ち抜き片ガード１２２により飛散することなく、ボス１３１のボス孔１３１ａあるいはその周辺に落ちる。
一方、吸引器１３４においても、継手１４１からエアが供給され、これによりエアパイプ１３６に生じた負圧のために、打ち抜き片はボス孔１３１ａに吸い込まれ、吸引器１３４内に入り、接続パイプ１３７、ホース１３８を通り、ミシン２００の外部で回収される。継手１４１から供給されるエアのタイミングは特に限定されず、継手１６３を介しての上方からのエアが供給され始めてから、布切りの全ての動作が終了するまでの間であればよいが、継手１６３からのエアの供給とほぼ同時であることがより好ましい。このようなタイミングであれば、上方からのエアと吸い込む勢いが合わさり打ち抜き片を確実に排出できるし、また継手１６３と継手１４１にエアを供給するための電磁弁を共通化させることも可能になり、構成・制御ともに簡単にできる。
【００４１】
次に、メス受け駆動手段１７０が逆方向に作動し、平面メス受け１６０が布の移動と干渉しない高さまで上昇し、停止する。このとき、エアシリンダ１１０がオンになり、ロッド１１０ａが引き込まれる。これにより、シリンダピン１１４に通されているリンク１１６によって鳩目メス用土台１０４が引っ張られるとともに、バネ１０８の付勢力により、鳩目メス用土台１０４は支点軸１０７を中心に反時計方向に倒れるように回動し、退避し、図７（ｂ）に示す状態になる。このとき鳩目メス１０１ｂは、平面メス受け１６０と合致しない第二位置にある。
ところで、バネ１０８の付勢力だけに寄らず、リンク１１６を介してシリンダピン１１４によっても鳩目メス用土台１０４を引くように構成したのは、次の理由による。鳩目メス１０１ｂ上には被縫製物である布が密着していることがあり、バネ１０８だけであると布との間の摩擦力の関係で鳩目メス用土台１０４が倒れにくい。そこで、シリンダピン１１４で引いて、確実に鳩目メス用土台１０４が退避できるように構成した。
【００４２】
エアシリンダ１１０のロッド１１０ａが引き込まれた後、送り台１４を作動させ、布を次の切断位置に移動させる。再度、メス受け駆動手段１７０によって平面メス受け１６０が下降し、鳩目メス１０１ｂは退避しているため、直線メス１０２ｂとのみ合致し、図９（ｂ）でグレー色で示す第２切込みｈ２が形成される。この切断により、鳩目部９０と直線部９１がつながる。
【００４３】
ここで、切断長が「縫い長さ（ｍｌ）−カット長さ補正（ｌｃ）」に達していない場合には、再度平面メス受け１６０が布の移動と干渉しない位置まで上昇し、布が送り台１４により所定位置まで移動し、平面メス受け１６０が下降し、直線メス１０２ｂと合致し、図９（ｃ）に示す第３切込みｈ３が形成される。これにより、鳩目部９０と直線部９１とからなる鳩目ボタン穴９２が得られる。この例では、３回の動作で切断終了したが、回数は一例であって鳩目ボタン穴を形成する場合には２回以上であれば何回でもよい。
なお、２回目以降の切断の際には、打ち抜き片は発生しないので、打ち抜き片を除去するためには、継手１６３、１４１へのエアの供給は必要ない。
以上の切断動作終了後、下糸切断等の処理を終了する。
【００４４】
また、２回目、及び３回目の切断の前の送り台１４による布移動は、必ずその前に切断した切り込みと重なるように位置を調節する。具体的な重なり程度は前記長さｍｂと隙間長さｍｃとの値にもよるが、鳩目部９０の頂点部分から１ｍｍ以上離れ、かつ、鳩目部９０と第１切込みｈ１と同程度（１ｍｍ程度ずつ）重なるように、２回目の切断を行なう。３回目の切断の際にも、２回目に切断した第２切込みｈ２と１ｍｍ以上重なるように切断することが好ましい。
すなわち、布切り動作時の送り台１４の各移動量は、メスＮｏ．などから分かる「１回目で切断可能な長さ（鳩目部９０頂点から直線部９１の一部）」、「直線メス１０２ｂによる実切断長さｍｂ」、「切り残り長さ」によって算出され、制御されるようになっている。制御の詳細については後で詳述する。
【００４５】
（２）鳩目ボタン穴形成後に、その周囲にかがり縫いＰを縫製する場合について説明する。
まず、送り台１４により布を所定の切断位置に布地を搬送後、（１）同様に切断し、その後、送り台１４により縫製位置に搬送し、その後糸切り等の処理がなされる。
【００４６】
次に、（３）平面メス受け１６０で眠り目穴９４を形成する場合と、（４）で段差メス受け１６７を用いる場合について説明する。ただし、かがり縫いについては上記（１）、（２）から明らかなように、かがり縫いと布切断の時間的な前後関係は、布切断装置２０１そのものの動作とは直接関与しないので、以後では布切断装置２０１の動作についてのみ説明する。
（３）眠り目穴９４を形成する場合について説明する。
まず、エアシリンダ１１０がオンになり、ロッド１１０ａが引き込まれ、鳩目メス用土台１０４が引っ張られるとともに、バネ１０８の付勢力により、鳩目メス用土台１０４は退避し、図７（ｂ）に示す状態になる。この状態で、送り台１４により布を所定の布切り位置へ搬送する。
メス受け駆動手段１７０が作動し、平面メス受け１６０が所定量下降し、鳩目メス１０１ｂは退避しているため、直線メス１０２ｂとのみ合致し、図１０（ａ）でグレー色で示す第１切込みｈ４が形成される。
【００４７】
切断量が必要長さに達しない場合には、（１）の２回目動作同様に、平面メス受け１６０が布の移動と干渉しない程度に上昇し、送り台１４が所定距離移動し、再び平面メス受け１６０を下降させ、２回目の切断を行い、図１０（ｂ）に示すように第２切込みｈ５が形成される。同様に３回目の切断を行なうと、図１０（ｃ）に示すように第３切込みｈ６が切断され、眠り目穴９４が形成される。
眠り目穴９４の場合、「眠り目オフセット量ｃｃ」及び「カット長さ補正ｌｃ」の数値を変更することにより、かがり縫い長さに対して切断位置と切断長さを任意に変更することができる。
【００４８】
このように、眠り目穴９４の場合、切断動作の最初に鳩目メス用土台１０４を退避させておき、直線メス１０２ｂのみにより切断する。また、打ち抜き片は発生しないので、打ち抜き片を除去するためには継手１６３、１４１に対してエアは供給されない。
また、２回目及び３回目の切断前の送り台１４の移動量は、鳩目ボタン穴９２の形成時同様に、その前に切断した切り込みと１ｍｍ以上重なるように位置を調節する。
以上（１）〜（３）で説明したように、メスやメス受けの交換することなしに、鳩目ボタン穴９２、眠り目穴９４の切り替えや切断長さの変更が自在にできる。
【００４９】
（４）次に、段差メス受け１６７をメス受け取付台１６２に取り付けた場合について説明する。
段差メス受け１６７で、鳩目ボタン穴９２やフラワーホールのような穴を形成する場合、まず、布切断装置２０１は、図８（ａ）に示すように、エアシリンダ１１０がオフ状態でロッド１１０ａは突出し、シリンダピン１１４により鳩目メス用土台１０４が押され起立した状態である。
【００５０】
メス受け駆動手段１７０の駆動により、段差メス受け１６７が所定量下降していく。段差メス受け１６７には段差１６７ａが設けられているので、鳩目用メス受け部１６８のみが鳩目メス１０１ｂだけと合致し、図１１（ａ）のグレー色で示すように、鳩目部９０のみが形成される。フラワーホールのような穴のみ形成する場合は段差メス受け１６７を元の位置まで上昇させて動作を終了する。
また、鳩目ボタン穴９２の場合はこの後、エアシリンダ１１０がオンになり、鳩目メス用土台１０４は退避し、図８（ｂ）の状態になる。一方、段差メス受け１６７を布の移動と干渉しない高さまで上昇させ、布を送り台１４で移動させて段差メス受け１６７を下降させる動作を、必要長さ分繰り返し、図１１（ｂ）〜（ｄ）のグレー色で示すように、第１切込みｈ７、第２切込みｈ８、第３切込みｈ９を順に切り足していき、鳩目ボタン穴９２を形成する。なお、２回目、３回目、４回目の切断前の送り台１４による布の移動は、それぞれ、その前に形成した切断箇所と少し、例えば１ｍｍ以上、重なるように移動させる。
【００５１】
前記（１）同様に、１回目の切断時に、段差メス受け１６７が鳩目メス１０１ｂと近接するある位置まで下降してくると、メス受け取付台１６２の継手１６３を介してエアが供給され始め、段差メス受け１６７の下面から、鳩目用メス部１０１のメス部貫通穴１０１ｅに向かってエアが噴射される。これに合わせて、吸引器１３４側の継手１４１にもエアが供給され始める。このエアの供給は、鳩目部９０の切断後に段差メス受け１６７が上昇し鳩目メス１０１ｂから十分離れるまで続く。
【００５２】
段差メス受け１６７を用いて、眠り目穴９４を形成する場合については、前記（２）と全く同様である。
このように、段差メス受け１６７を用いれば、鳩目部９０のみ、鳩目ボタン穴９２、眠り目穴９４を形成でき、両ボタン穴の長さも自在に変更できる。
【００５３】
次に、ミシンの制御装置１８０について説明する。
図１２に示すように、制御装置１８０は、ＲＯＭ５１、ＲＡＭ５２、ＥＥＰＲＯＭ５３、ＣＰＵ５４、インターフェイス５５、主軸モータ駆動回路５６ａ等の駆動回路等から概略構成され、この制御装置１８０に主軸モータ７０等の各種モータ、スタートスイッチ５７、押えスイッチ５８、操作パネル５９（図１７を参照）等が接続される。
ＲＯＭ５１には、ボタン穴及び穴かがり縫い目を形成する際に必要となる制御プログラムや制御データが書き込まれている。
【００５４】
ＲＡＭ５２（記憶手段）は、後述するＥＥＰＲＯＭ５３に記憶された複数のパターンデータの中から、操作パネル５９を介して選択された１つのデータを記憶する。さらにＲＡＭ５２は、縫製中の各種処理の際に一時的に使用されるメモリエリアとしても機能する。また、パターンデータから生成される縫い目データや、後述する複数回メスのメス落し位置等も記憶する。
ＥＥＰＲＯＭ５３（記憶手段）は、複数のパターンデータと複数のメモリスイッチデータを記憶する。また、パターンデータの値やメモリスイッチデータの値が変更された場合には変更後の値等も記憶する。なお、これらデータの選択方法やデータ内容の変更方法については後述する。
【００５５】
更に、ＥＥＰＲＯＭ５３には、後述する打ち抜き片除去動作の際や鳩目用メス部１０１と直線用メス部１０２の間の布屑・糸屑の除去動作の際のエアコンプレッサー７７ｂを作動させる時間（設定時間）が記憶されている。打ち抜き片除去動作の際の設定時間と、鳩目用メス部１０１と直線用メス部１０２の間の布屑除去動作の際の設定時間とは同一にしてもよいが、独立して設定してもよい。ＥＥＰＲＯＭ５３には更にエアシリンダ１１０がオンとなる時にメス受け１６０が位置すべき設定位置（メスユニット１００が回動する時にメス受け１６０が干渉しない位置）が記憶されている。
【００５６】
前記パターンデータとしては、図１３に示すように、例えば９個のパターンデータがあり、各パターンデータには、パターンデータ１に示すように１〜１０のデータ項目に対応した具体的な値が設定されている。
データ項目１は、ボタン穴を形成するメスの種類を設定するものである。図１４（ａ）に示すように鳩目メス１０１ｂの形状を幅ｅｗと長さｅｌとによって規定し、鳩目メス１０１ｂおよび直線メス１０２ｂ全体の長さをｍａによって規定し、直線メス１０２ｂの長さをｍｂによって規定し、鳩目メス１０１ｂと直線メス１０２ｂの間の間隙部ｗ２の長さをｍｃによって規定し、これらの組み合わせを図１４（ｂ）に示すように予めテーブルとしてメモリスイッチデータに記憶している。
【００５７】
データ項目１では、メスＮｏ．０〜５にはいわゆる標準メス、つまり、直線メス部と鳩目メス部とが一体の図示しないメスが設定されており、メスＮｏ．６〜１０にはいわゆる複数回メス、つまり、鳩目メス１０１ｂと直線メス１０２ｂとの間に間隙部ｗ２が設けられており、後述するように、切り残し部分の切断等のために布に対して複数回下降させる必要があるメスが設定されている。なお、メスＮｏ．０は、眠り目穴９４を形成するための直線状の刃のみを備えたメスに対応する。
データ項目２〜６は、図１５（ａ）に示す鳩目穴かがり縫い目を構成する各部の針数や長さに関するデータである。すなわち、図１５（ｂ）に示すように、データ項目２は穴かがり長さ（ｍｌ）、データ項目３は直線部針数（ｌｎ）、データ項目４は鳩目部針数（ｅｎ）、データ項目５は直線部メススペース（ｌｓ）、データ項目６は鳩目部メススペース（ｅｓ）である。
【００５８】
データ項目７は、かがり縫いの前に布切りを行う先メス、かがり縫いの後に布切りを行う後メスを選択するものである。
データ項目８は、直線部９１の長さを変更（補正）するためのカット長さ補正（ｌｃ）、データ項目９は、図１５（ｃ）に示す眠り穴かがり縫い目を形成する際に、直線状の穴９３の形成位置を、眠り穴かがり縫い目の上方部分からオフセットさせるための眠り目オフセット量（ｃｃ）である。
【００５９】
データ項目１０は、穴種類選択データ（ｓｓ、「眠り目／鳩目選択」）であり、メス受けとして、平面メス受け１６０または段差メス受け１６７の一方を用いる際に、被縫製物に対して、次の▲１▼〜▲４▼の４種類の縫製のうちの１つを選択するものである。
▲１▼平面メス受け１６０による鳩目ボタン穴９２の形成（以下、▲１▼「平面メス受け・鳩目ボタン穴」形成）。
▲２▼平面メス受け１６０または段差メス受け１６７による眠り目穴９４の形成（以下、▲２▼「眠り目穴」形成）。
▲３▼段差メス受け１６７による鳩目ボタン穴９２の形成（以下、▲３▼「段差メス受け・鳩目ボタン穴」形成）。
▲４▼段差メス受け１６７による鳩目部９０のみの形成（以下、▲４▼「段差メス受け・鳩目部のみ」形成）。
【００６０】
具体的には、▲１▼「平面メス受け・鳩目ボタン穴」を選択する場合には「０」を設定し、▲２▼「眠り目穴」を選択する場合には「１」を設定し、▲３▼「段差メス受け・鳩目ボタン穴」を選択する場合には「２」を設定し、▲４▼「段差メス受け・鳩目部のみ」を選択する場合には「３」を設定することで、所望の穴とかがり縫目を設定することができる。
【００６１】
前記メモリスイッチデータとしては、図１６に示すように、例えばメモリスイッチＮｏ．１〜３６まで設定されており、各メモリスイッチには、「メモリスイッチの内容」欄に記載された事項に対応する値が、「設定値」欄に示すように、設定されている。例えば、メモリスイッチＮｏ．１には、メスＮｏ．１の鳩目幅（ｅｗ）についての設定値は２．１ｍｍであることが入力されており、メモリスイッチＮｏ．１３には、メスＮｏ．６の全体メス長さ（ｍａ）についての設定値は１８ｍｍであることが入力されている。
【００６２】
ＣＰＵ５４は、ＲＯＭ５１の制御プログラムや制御データにしたがって、ボタン穴かがり縫いに関する一連の処理を制御する。
ＣＰＵ５４は、インターフェイス５５を介して、操作パネル５９に接続され、操作パネル５９上の表示を制御するとともに、操作パネル５９を介して入力される入力信号を受けて各種設定の選択・変更などを行うようになっている。作業者は、操作パネル５９を介して、図１３や図１６等に示した各データを選択したり、選択したデータを変更できるようになっている。
【００６３】
さらに、ＣＰＵ５４は、インターフェイス５５を介して、主軸モータ駆動回路５６ａに接続され、主軸モータ７０の回転を駆動制御する。主軸モータ７０は、ミシン針を上下に駆動する上軸や、ミシン針と協働して縫い目を形成するルーパー機構を駆動するモータである。
また、ＣＰＵ５４は、インターフェイス５５を介してＸ軸モータ駆動回路５６ｂに接続されるとともに、インターフェイス５５を介してＹ軸モータ駆動回路５６ｃに接続され、Ｘ軸モータ７１とＹ軸モータ７２を駆動制御しながら、送り台１４を所定の方向に駆動する。
また、ＣＰＵ５４は、インターフェイス５５を介して、旋回モータ駆動回路５６ｄに接続され、旋回モータ７３を制御駆動する。この旋回モータ７３によってミシン針及びルーパが回転運動し、鳩目穴９２等の周りに、放射状の縫い目が形成される。
【００６４】
また、ＣＰＵ５４は、インターフェイス５５を介して、布切りメスモータ駆動回路５６ｅに接続され、布切りメスモータ７４を制御駆動する。
また、ＣＰＵ５４は、インターフェイス５５を介して、スタートスイッチ５７に接続され、スタートスイッチ５７から起動信号が入力すると、主軸モータ７０等を所定のタイミングで駆動し、ボタン穴かがり縫い及び布切り処理を行わせる。
また、ＣＰＵ５４は、インターフェイス５５を介して、押えスイッチ５８に接続され、押えスイッチ５８から起動信号が入力すると、布押えシリンダ７５に連結した布押えシリンダ駆動電磁弁７５ａを所定のタイミングで駆動し、布押え１６を上下動させる。
また、また、ＣＰＵ５４は、インターフェイス５５を介して、Ｘ軸モータ７１、Ｙ軸モータ７２、旋回モータ７３、布切りメスモータ７４の原点位置を検知するためのＸ軸原点センサ７１ａ、Ｙ軸原点センサ７２ａ、旋回原点センサ７３ａ、布切りメス原点センサ７４ａに接続され、これら各モータが原点位置に戻っているか否かを示す信号に対応し、この信号に基づいて各種制御を行なう。
【００６５】
ＣＰＵ５４には更にインターフェイス５５を介して前記エアシリンダ１１０を駆動するエアシリンダー駆動電磁弁７６ａが接続されている。ＣＰＵ５４は、インターフェイス５５を介して、エアシリンダー駆動電磁弁７６ａを所定のタイミングで駆動し、これにより、鳩目メス用土台１０４を倒したり起立させる。
また、制御装置１８０によって、インターフェイス５５及びエアコンプレッサー駆動電磁弁７７ａを介して、エアチューブ１４０やエアライン１７５にエアを供給するエアコンプレッサー７７ｂのオン／オフ動作が制御される。エアコンプレッサー駆動電磁弁７７ａおよびエアコンプレッサー７７ｂは本発明のエアー吐出手段に対応する。
【００６６】
ＣＰＵ５４には更にインターフェイス５５を介して布センサ１９０が接続されている。制御装置１８０は後述するように、鳩目メス１０１ｂを起立させる直前に布センサ１９０によりメス受け部貫通穴１６０ａとメスユニット１００との間に被縫製物が無いと判定された場合のみ、エアー吐出手段７７ａ，７７ｂにより鳩目用メス部１０１と直線用メス部１０２との間にエアーを吐出する等の制御を行なう。
【００６７】
操作パネル５９は、図１７に示すようにパターンＮｏ．表示部５９ａ、パターンＮｏ．＋／−キー５９ｂ、データ項目表示部５９ｃ、データ項目＋／−キー５９ｄ、データ表示部５９ｅ、データ＋／−キー５９ｆ、データ設定キー５９ｇ、準備キー５９ｈとから構成される。
パターンＮｏ．表示部５９ａは、現在選択しているパターンＮｏ．を表示するものであり（図１７では「１」）、パターンＮｏ．＋／−キー５９ｂにより数字を１〜９の範囲の中で１つずつ変更することによって、異なるパターンデータを選択できる。
【００６８】
データ項目表示部５９ｃは、パターンＮｏ．表示部５９ａで選択したパターンデータの中のデータ項目を表示するものであり（図１７では「２」）、データ項目＋／−キー５９ｄにより数字を１〜１０の範囲の中で１つずつ変更することによって、異なるデータ項目を選択できる。
データ項目表示部５９ｃにおいてデータ項目を選択すると、データ表示部５９ｅにそのデータ項目について予め設定されている数字が表示される。そして、データ＋／−キー５９ｆによってデータ表示部５９ｅの数字を所定の範囲の中で所定間隔ずつ増減することによって、値を変更できる。
データ設定キー５９ｇは、データ設定作業を行う際に操作するスイッチである。つまり、データ設定キー５９ｇを押すことによりデータ値の変更などが可能となる。また、各項目や数字の選択や変更は、再度、データ設定キー５９ｇを押すことで確定する。
準備キー５９ｈは、穴かがり作業の準備を可能にするとともに、設定作業の終了後、選択あるいは設定しなおしたデータ値に対応する縫い目データ等を作成するためのキーである。また、準備キー５９ｈは、電源投入時に押されている場合は、メモリスイッチデータを変更するためのキーを兼用する。
【００６９】
次に、図１８〜２０のフローチャートを用いてボタン穴かがり縫い目形成作業の流れについて説明する。
まず、ミシンの主電源（図示せず）のオン操作の際に、準備キー５９ｈも同時にオン操作した場合、つまりステップＳ１００においてＹｅｓの場合は、ステップＳ１０３に移り、後述するメモリスイッチの設定を行う。
また、ステップＳ１００においてＮｏの場合、あるいはステップＳ１０３におけるメモリスイッチデータ設定後、ステップＳ１０４に移行する。
【００７０】
ステップＳ１０４において、パターンＮｏ．＋／−キー５９ｂが操作されるか否かを監視し、オン操作された場合、つまりＹｅｓの場合は、ステップＳ１０５に移り、パターンＮｏ．の更新を行なう。
ステップＳ１０４においてＮｏの場合、あるいはステップＳ１０５におけるパターンＮｏ．更新後、ステップＳ１０６に移行する。
ステップＳ１０６において、データ設定スイッチが操作されるか否かを監視し、オン操作された場合、つまりＹｅｓの場合は、ステップＳ１０７において後述するデータ設定を行う。
ステップＳ１０６においてＮｏの場合、あるいはステップＳ１０７におけるデータ設定後、ステップＳ１０８に移行する。
【００７１】
ステップＳ１０８では、準備キー５９ｈの操作を監視する。そして、操作されない場合、つまりＮｏの場合は、ステップＳ１０４に戻り、操作された場合、つまりＹｅｓの場合は、ステップＳ１０９に移り、現在選択されているパターンにおけるデータ項目「１」に設定されているメスＮｏ．に基づいて複数回メスが選択されているかどうか判定する。そしてＹｅｓの場合、ステップＳ１１０において後述する布屑除去動作１を行なう。これにより、鳩目用メス部１０１と直線用メス部１０２の間の布屑および糸屑が除去される。ステップＳ１０９においてＮｏの場合、あるいはステップＳ１１０における動作終了後、ステップＳ１１１において１針毎の縫い目データと複数回メスのメス落とし位置等の各種データを生成する。これらデータは、設定されたパターンデータ、メモリスイッチデータの内容に基づいて主軸モータ７０等の駆動源を駆動するために生成されるデータであり、この他、送り台１４の位置に関するデータ、メスを駆動する布切りモータ２１の駆動量のデータ等を含むものである。
そして、ステップＳ１１２において布押え１６が下降して布を送り台１４の上面に押え付け、ステップＳ１１３において、Ｘ／Ｙモータ７１、７２、旋回モータ７３、布切りメスモータ７４を原点位置に移動させる原点検索が行われ、図１９のステップＳ１１４に移行し、布押え１６が上昇する。
【００７２】
次いでステップＳ１１５において、押えスイッチ５８の操作が監視され、オン操作された場合、つまりＹｅｓの場合は、ステップＳ１１６において布押え１６が下降する。作業者は、例えば、布押え１６による布の押え位置等を確認し、布の位置を調節する必要がある場合等は、ステップＳ１１７において再び押えスイッチ５８をオン操作することでステップＳ１１８で布押え１６が上昇し、ステップＳ１１５に戻る。
また、ステップＳ１１７において押えスイッチ５８がオン操作されない、つまりＮｏの場合は、ステップＳ１１９においてスタートスイッチ５７の操作を監視し、オン操作された場合、つまりＹｅｓの場合ステップＳ１２０に移行する。
【００７３】
ステップＳ１２０において、図１３に示すパターンデータ内のデータ項目「７」で先メスが選択されているかどうか判定する。先メスであればステップＳ１２１において後述する布切りメス動作が実行される。
ステップＳ１２０においてＮｏの場合、あるいはステップＳ１２１における布切りメス動作実行後、ステップＳ１２２において穴かがり動作が開始される。この穴かがり動作には、送り台１４を縫い始め位置へ移動させる動作や、穴かがり後の糸切り等の一連の動作が含まれる。
【００７４】
穴かがり動作の途中でステップＳ１２３において針棒旋回開始か否かが判断され、Ｙｅｓの場合はステップＳ１２４に移行してステップＳ１１０と同様の布屑除去動作１が実行される。
図２１に示すように針棒旋回時には鳩目部の穴かがり動作のため針棒ガイド７９（図１参照）の下方にある針８０（図１参照）の下に被縫製物Ｗの鳩目形成部分が位置することになる。このとき被縫製物Ｗは、作業者に対して最前進位置となるが、ミシン２００に対しては最後退位置となり、メス受け部貫通穴１６０ａの直下には被縫製物Ｗが存在せず、このタイミングでメス受け部貫通穴１６０ａからエアーを吐出することにより縫製の途中でも鳩目用メス部１０１と直線用メス部１０２との間に溜った布屑を除去することができる。また、エアーを吐出する際には鳩目用メス部１０１を倒す必要があるが鳩目穴の穴かがり時には、鳩目用メス部１０１の上にも被縫製物Ｗが存在しないので、鳩目用メス部１０１を倒すことにより鳩目メス１０１ｂが被縫製物Ｗを傷つけることも無く好都合である。なお、ステップＳ１２３においては、針棒旋回の開始を判断せずとも、鳩目部の縫製が行なわれるタイミングを判断できれば良く、例えば縫いデータにより送り台１４の左右方向への移動が開始されたか否かを判断して鳩目部の縫製の開始を判断しても良い。
なお、この布屑除去動作は穴かがり動作と平行して行なわれ、布屑除去動作中も鳩目部の穴かがり動作が実行されている。
【００７５】
布屑除去動作１が終了した後も残りの穴かがり動作が継続して行なわれ、ステップＳ１２５に移行し、所定の穴かがり動作が終了する。その後、ステップＳ１２６に移行し、送り台１４、針棒等を原点位置に移動する。
次いで、ステップＳ１２７において、パターンデータ内のデータ項目「７」で後メスが選択されているか否か判定し、後メスが選択されている場合、つまりＹｅｓの場合は、ステップＳ１２８に移行し、ステップＳ１２１と同様の布切りメス動作が実行される。
ステップＳ１２７において後メスではないと判定した場合、あるいはステップＳ１２８の布切りメス動作終了後、ステップＳ１２９において布押え１６が上昇し、ステップＳ１１５に戻り、再び押えスイッチ５８の操作監視状態となり、押えスイッチ５８のオンにより上述の穴かがり動作が繰り返される。
【００７６】
次に、前記ステップＳ１１０、Ｓ１２４における布屑除去動作１の流れについて、図２０のフローチャートを用いて説明する。
まず、ステップＳ２００において布センサ１９０からの信号によりメス受け部貫通穴１６０ａとメスユニット１００との間に被縫製物が有るか無いかを判断し、被縫製物がない場合にステップＳ２０１に移行してエアシリンダ１１０をオンにし、鳩目用メス部１０１を倒す。なお、この時、例えば図２１に示す位置に被縫製物Ｗがある時は、布センサ１９０の下方には、被縫製物Ｗは存在せず、布無しと判断される。
次にステップＳ２０２に移行してエアコンプレッサー７７ｂをオンとして鳩目用メス部１０１と直線用メス部１０２との間にエアーを吐出する。これにより、鳩目用メス部１０１と直線用メス部１０２の間の布屑および糸屑が除去される。このエアー吐出時間は、次のステップＳ２０３において予めＥＥＰＲＯＭ５３に記憶されている設定時間が経過するまで行なわれる。なお、本発明の「移動可能とされた一方が前記隔離位置にあることに関連して、前記エアー吐出手段によりエアーを吐出」とは、本実施形態においては、エアシリンダ１１０がオンとなって鳩目用メス部１０１が倒れて直線用メス部１０２と隔離した位置にある時にエアコンプレッサー７７ｂをオンとすることに対応する。
【００７７】
布屑除去動作を行なう場合、被縫製物の形状や被縫製物に対するボタン穴の位置によっては、鳩目穴かがり縫いの動作中にも被縫製物が鳩目用メス部１０１の上にある可能性がある。そのような場合、布屑除去を行なうために鳩目用メス部１０１を倒すと鳩目メス１０１ｂの先端により被縫製物に対して形成されたかがり縫いの縫い糸が切断されたり、被縫製物が傷つけられたりする不具合が発生する可能性があるが、このように被縫製物があるか否かを判断して、被縫製物が無い場合にのみ布屑除去動作を行なうことによって、そのような不具合を防止することができる。
また、鳩目メス１０１ｂや直線メス１０２ｂの上方を送り台１４によって移動中の被縫製物の上からエアーを吐出すると、鳩目メス１０１ｂや直線メス１０２ｂに被縫製物が押し付けられ、縫い糸や被縫製物が傷つけられる可能性があるが、この不具合も被縫製物が無い場合にのみ布屑除去動作を行なうことによって防止することができる。
【００７８】
ステップＳ２０３の終了後ステップＳ２０４に移行して次に行なわれるボタン穴の形成において鳩目が設定されているか否かが判断され、Ｙｅｓの場合はステップＳ２０５でエアシリンダ１１０をオフとして鳩目用メス部１０１を起立させる。ステップＳ２０５の動作終了後及びステップＳ２０４でＮｏの場合はステップＳ２０６でエアコンプレッサー７７ｂをオフとして布屑除去動作１のサブルーチンを終了し、ステップＳ１１１またはステップＳ１２５に戻る。また、ステップＳ２００で被縫製物ありと判断された場合には布屑除去動作を行なわず、ステップＳ１１１またはステップＳ１２５に戻る。
【００７９】
次に、前記ステップＳ１０３におけるメモリスイッチ設定の流れについて、図２２のフローチャートを用いて説明する。
まず、ステップＳ４００において操作パネル５９の項目表示部に「１」が表示され、メモリスイッチＮｏ．１の設定値がデータ表示部５９ｅに表示される。
次いで、ステップＳ４０１においてデータ項目＋／−キー５９ｄの操作を監視し、オン操作された場合、つまりＹｅｓの場合、ステップＳ４０２においてメモリスイッチＮｏ．を更新し、データ項目表示部５９ｃに表示すると共に対応する値をデータ表示部５９ｅに表示する。
ステップＳ４０２の後、あるいはステップＳ４０１でＮｏの場合はステップＳ４０３に移行する。
【００８０】
ステップＳ４０３では、データ＋／−キー５９ｆの操作を監視し、オン操作された場合、つまりＹｅｓの場合、ステップＳ４０４において、データ項目表示部５９ｃに表示されているメモリスイッチＮｏ．に対応した設定値を更新し、更新後の設定値をデータ表示部５９ｅに表示する。
ステップＳ４０４の後、あるいはステップＳ４０３でＮｏの場合はステップＳ４０５に移行する。
ステップＳ４０５では準備キー５９ｈの操作を監視し、オン操作されない場合、つまりＮｏの場合はステップＳ４０１に戻り、オン操作された場合、つまりＹｅｓの場合は、ステップＳ４０６に移行し、設定されたメモリスイッチデータがＥＥＰＲＯＭ５３に記憶され、その後ステップＳ１０４に移行する。
【００８１】
次に、前記ステップＳ１０７におけるデータ設定の流れについて、図２３のフローチャートを用いて説明する。
まず、ステップＳ３００において操作パネル５９のデータ項目表示部５９ｃに「１」が表示され、データ項目１に設定されているメスＮｏ．がデータ表示部５９ｅに表示される。
次いで、ステップＳ３０１においてデータ項目＋／−キー５９ｄの操作を監視し、オン操作された場合、つまりＹｅｓの場合、ステップＳ３０２においてデータ項目ナンバーを更新してデータ項目表示部５９ｃに表示すると共に、対応する値をデータ表示部５９ｅに表示する。
ステップＳ３０２の後、あるいはステップＳ３０１でＮｏの場合はステップＳ３０３に移行する。
【００８２】
ステップＳ３０３では、データ＋／−キー５９ｆの操作を監視し、オン操作された場合、つまりＹｅｓの場合、ステップＳ３０４において、選択されているデータ項目に対応した値を更新し、更新後の値をデータ表示部５９ｅに表示する。ステップＳ３０４の後、あるいはステップＳ３０３でＮｏの場合はステップＳ３０５に移行する。
ステップＳ３０５ではデータ設定キー５９ｇの操作を監視し、オン操作された場合、つまりＹｅｓの場合は、ステップＳ３０６において変更後のデータに更新し、ステップＳ１０８に移行する。また、ステップＳ３０５でデータ設定キー５９ｇが操作されない場合は、ステップＳ３０１に戻る。
【００８３】
次に、前記ステップＳ１２１における布切りメス動作の流れについて、図２４〜２６のフローチャートを用いて説明する。前提として、オペレータは、形成したい穴に応じて、適切なメス、メス受けを取り付け、それに合わせて操作パネル５９から所定のデータ設定をしている。
【００８４】
まず、ステップＳ５００において、例えばパターンデータ内のデータ項目「１」に設定されているメスＮｏ．から、複数回メスが選択されているかどうか判定する。そして、標準メスと平面メス受け１６０が取り付けられていれば、複数回メスではなくＮｏとなり、ステップＳ５０１において平面メス受け１６０を降下させ、布にボタン穴を形成する。このとき、メスＮｏ．０、つまり眠り目穴９４を形成するための直線状の刃のみを備えたメスが選択されている場合には、ステップＳ５０１において眠り目が形成され、メスＮｏ．１〜５が選択されている場合には、鳩目ボタン穴が形成される。ステップＳ５０１が終了した後、図２５のステップＳ５１８へ移行する。
【００８５】
また、ステップＳ５００において複数回メスであると判定した場合、ステップＳ５０２において、パターンデータ内のデータ項目「１０」の設定がｓｓ＝１であるか否か、つまり眠り目穴が選択されているか否かを判定する。
そして、眠り目穴が選択されている場合、つまりｓｓ＝１が選択されている場合には、ステップＳ５０３に移行する。ステップＳ５０３において、エアシリンダ１１０をオンにし、鳩目用メス部１０１が倒れる。これ以後は、直線用メス部１０２による切断のみ可能となる。
次に、ステップＳ５０４で、送り台１４を前記ステップＳ１１１（図１８）で算出した１回目メス受け落し位置（布切り位置）まで移動させる。そして、ステップＳ５０５において、平面メス受け１６０または段差メス受け１６７を切断位置まで下降させ、直線メス１０２ｂの形状やメス受けとの合致長さに対応する直線状の穴が被縫製物に形成され、図２５のステップＳ５１４に移行する。
【００８６】
一方ステップＳ５０２において、眠り目穴が選択されていない場合、つまりｓｓ＝０、２、３が選択されている場合、ステップＳ５０６に移行する。
ステップＳ５０６では、所定の切断位置まで平面メス受け１６０あるいは段差メス受け１６７を下降させる。被縫製物には、平面メス受け１６０であれば、鳩目用メス部１０１の鳩目メス１０１ｂと直線用メス部１０２の直線メス１０２ｂの形状や大きさに応じた鳩目部９０及び直線部９１の一部が形成される。段差メス受け１６７であれば、鳩目部９０のみ形成される。いずれの場合も鳩目部９０が形成される結果、被縫製物から鳩目部９０と同形状の打ち抜き片が分離される。
次に、ステップＳ５０７で前記エアコンプレッサー７７ｂが約５０ｍ秒オンした後、オフする。これにより、鳩目部９０の打ち抜き片が除去される。次いでステップＳ５０８で後述の布屑除去動作２が実行される。これにより、鳩目用メス部１０１と直線用メス部１０２の間の布屑および糸屑が除去される。
【００８７】
次いで、ステップＳ５０９で、パターンデータ内のデータ項目「１０」の設定がｓｓ＝３であるか否か、つまり鳩目部９０のみが選択されているか否か判定する。鳩目部９０のみが選択されている場合（Ｙｅｓ）には、布切り動作は終了するため、図２５のステップＳ５１８に移行する。
データ項目１０の設定がｓｓ＝０、２のいずれかである場合、つまり平面メス受け１６０または段差メス受け１６７による鳩目ボタン穴９２が選択されている場合、ステップＳ５０９からステップＳ５１０に移行する。
ステップＳ５１０において、メモリスイッチＮｏ．３６で設定されている「空送り可能メス高さ」に従って、平面メス受け１６０（段差メス受け１６７）を送り台１４の移動に差し支えない高さまで上昇させる。
次に、ステップＳ５１１で、エアシリンダ１１０をオンすることで、鳩目用メス部１０１が図７（ｂ）または図８（ｂ）に示すように倒れ、図２５のステップＳ５１２に移行する。以後は、直線メス１０２ｂによる布切りだけが可能となる。
【００８８】
図２５のステップＳ５１２では、送り台１４を、隙間ｗ１（図７（ａ））に対応する、前記ステップＳ１１１で算出した２回目の布切り位置まで移動させる。このときの移動量は、前述のように１回目に切断した切り口に少し重なるような位置にメス受けが下降するよう制御される。具体的には、平面メス受け１６０であれば、前記隙間ｗ２に対応する切り残し部分を切断するための位置であり、段差メス受け１６７であれば、鳩目部９０に接続する直線部９１の先端部分を切断する位置である。
次いで、ステップＳ５１３では、平面メス受け１６０あるいは段差メス受け１６７を切断位置まで下降させ、布地を切断し、ステップＳ５１４に移行する。
【００８９】
ステップＳ５１４で、前記ステップＳ１１１で算出したメス落とし回数と同一回数のメス受け落とし動作が行なわれたか否かを判定し、Ｎｏの場合には、ステップＳ５１５に移行し、前記ステップＳ５１０同様に、空送り高さまで平面メス受け１６０または段差メス受け１６７を上昇させる。次いで、ステップＳ５１６において、送り台１４を前記ステップＳ１１１で算出された次のメス受け落し位置（布切り位置）まで移動させる。
そして、ステップＳ５１７において、メス受けを切断位置まで下降させて、所定長さ切り足し、ステップＳ５１４に戻り、再び前記ステップＳ１１１で算出したメス落とし回数と同一回数のメス受け落とし動作が行なわれたか否かを判定し、Ｙｅｓの場合、つまりボタン穴の形成が終了した場合には、ステップＳ５１８に移行する。ここで、平面メス受け１６０または段差メス受け１６７を元の原点位置（最上位置）まで上昇させ、次いで、ステップＳ５１９で、エアシリンダ１１０をオフにして、鳩目用メス部１０１を起立させ、布切りメス動作処理を終了する。
なお、ステップＳ５０９やステップＳ５０１を経てステップＳ５１９に至った場合には、エアシリンダ１１０はオフのままであるが、オフの状態でオフの命令を出力しても何も生じないので問題ない。
【００９０】
ところで、ステップＳ５０６やステップＳ５０１の鳩目ボタン穴９２あるいは鳩目部９０を形成するための切断における下降位置と、その他の下降位置は、前者の方がより低い位置まで下降するように制御される。これは、鳩目を形成するときの方が合致面積が大きくメス受けをより強い力で押し込む必要があるからである。
【００９１】
次に、前記ステップＳ５０８における布屑除去動作２の流れについて、図２６のフローチャートを用いて説明する。
まず、ステップＳ５２０においてエアシリンダ１１０オンの際の設定位置（鳩目用メス部１０１が倒れる時にメス受け１６０が干渉しない位置）までメス受け１６０を移動した後、ステップＳ５２１でエアシリンダ１１０をオンにし、鳩目用メス部１０１を倒す。次にステップＳ５２２においてエアコンプレッサー７７ｂをオンとして鳩目用メス部１０１と直線用メス部１０２との間にエアーを吐出する。これにより、鳩目用メス部１０１と直線用メス部１０２の間の布屑および糸屑が除去される。このエアー吐出時間は、次のステップＳ５２３において予めＥＥＰＲＯＭ５３に記憶されている設定時間が経過するまで行なわれる。次いでステップＳ５２４でエアコンプレッサー７７ｂをオフとして布屑除去動作２のサブルーチンを終了し、図２４のメインルーチンのステップＳ５０９に移行する。
【００９２】
この布屑除去動作２では、メス受け１６０とメスユニット１００の間に被縫製物が存在するが、ステップＳ５０６で被縫製物に鳩目穴９２が形成され、ステップＳ５０７で打ち抜き片が除去されているので、メス受け部貫通穴１６０ａからのエアーは鳩目穴９２を通って下方に至る。従って、布屑除去動作１のステップＳ２０１のように布センサ１９０からの信号によりメス受け部貫通穴１６０ａとメスユニット１００との間に被縫製物が有るか無いかを判断する必要がない。
また、エアコンプレッサー７７ｂをステップＳ５０７でオフした後ステップＳ５２２で再度オンしているが、上記ステップＳ５０７ではオフせずにオンの状態のまま布屑除去動作２に移行してもよい。この場合、ステップＳ５２２は省略される。
【００９３】
以上において、鳩目用メス部１０１と直線用メス部１０２の間の布屑や糸屑を除去する動作として、図２０の布屑除去動作１と図２６の布屑除去動作２の２つの例を示したが、この他、オペレーターが所望の時に手動にて動作させるようにしてもよい。この場合、エアコンプレッサー７７ｂを手動にて作動させるための操作手段（図示せず）を設け、この操作手段が操作された場合に布センサ１９０により布が検出されないことを条件に布屑除去動作を行なうようにする。
【００９４】
ここで、上述のように、ステップＳ５１２及びＳ５１６、Ｓ５０４においては、送り台１４を所定量移動させることで、送り台１４に対する布切断装置２０１の位置（メス受け位置）を相対的に変更し、所定長さのボタン穴を形成していく。
【００９５】
以上の布切断装置２０１を備えるミシン２００によれば、縫製中に発生した布屑や糸屑が、鳩目用メス部１０１と直線用メス部１０２の間に蓄積しても、布屑除去動作１および布屑除去動作２において、エアコンプレッサー７７ｂをオンとして鳩目用メス部１０１と直線用メス部１０２との間にエアーを吐出することにより、上記布屑および糸屑が除去される。従って、鳩目メス１０１ｂを直線メス１０２ｂ方に対して常に正規の近接位置に移動可能となり、鳩目メス部を破損することがない。
【００９６】
また、ミシン２００によれば、鳩目用メス部１０１が回動することで、鳩目メス１０１ｂが布切断可能な第一位置と、退避する第二位置とを移動するように構成し、さらに送り台１４で布地を前後方向に移動できることから、平面メス受け１６０を用いる場合には、メス受け、メスの交換をすることなしに、鳩目ボタン穴９２、眠り目穴９４の切り替えや切断長さの変更が自在にできる。また、段差メス受け１６７を用いれば、メス受け、メスの交換をすることなしに、鳩目部９０のみ、鳩目ボタン穴９２、眠り目穴９４を形成でき、かつ、様々な長さのボタン穴を形成できる。
【００９７】
＜第２の実施の形態＞
図２７、図２８を参照して第２の実施の形態について説明する。図２７、図２８において、図５〜７と全く同じ部材については同符号を付して説明を省略する。
第２の実施の形態におけるメスユニット３００では、メス土台部材１０３の代わりに、メス土台部材３０３を用いている。メス土台部材３０３は、前記メス土台部材１０３同様に、土台板３０３ａが固定ネジ１５２、１５２によってミシン２００のベッド部に固定され、土台板３０３ａの前部に、メス支持体３０３ｂが立ち上がるように形成され、さらにメス支持体３０３ｂの上部にブロック体３０３ｃとなっており、その上面に、第１の実施の形態と同様に、直線用メス部１０２がはめ込まれている。ただし、ここでのメス支持体３０３ｂは、前記メス支持体１０３ｂに比較すると後側が短くブロック体３０３ｃを真下から支持する程度の幅に形成されており、後述の鳩目メス用土台３０４は支持していない。
【００９８】
また、土台板３０３ａの上面には、平坦に形成されたスライド部３０３ｄが設けられ、このスライド部３０３ｄの中央に、前後方向に沿ってガイド溝３０３ｅが設けられている。
一方、スライド部３０３ｄの上面には、鳩目メス用土台３０４が設けられている。鳩目メス用土台３０４の上面には、第２の実施の形態同様に、鳩目用メス部１０１が固定され、鳩目用メス部１０１の内側にはメス部貫通穴（打ち抜き片除去経路）１０１ｅが形成されている。鳩目メス用土台３０４の下面には、前記ガイド溝３０３ｅに嵌合する嵌合突起３０４ｂが設けられている。これにより、鳩目メス用土台３０４は、ガイド溝３０３ｅに沿ってスライド部上面を前後に移動可能となっている。
【００９９】
鳩目メス用土台３０４の中には、鳩目用メス部１０１の打ち抜き片除去経路１０１ｅに連続する打ち抜き片除去経路３０４ａが形成されている。この打ち抜き片除去経路３０４ａは、後ろ斜め下方に向かって形成されていた前記打ち抜き片除去経路１０４ａと異なり、鳩目メス用土台３０４の前後移動の経路と重ならないように、図２７（ｂ）における紙面手前斜め下方に向かうように形成されている。鳩目メス１０１ｂによって切断された打ち抜き片は、打ち抜き片除去経路１０１ｅ、３０４ａを通って、ボス孔１３１ａに落ち、外部に排出されていく。なお、打ち抜き片除去経路３０４ａの向きに応じて、布屑ガード３０６が鳩目メス用土台３０４の側面がわを囲むように設けられ、止めネジ３０７、３０７によって土台板３０３ａに固定されている。
【０１００】
前記エアシリンダ１１０同様のエアシリンダ３１０を固定するシリンダ取付板３０１は、鳩目メス用土台３０４の前後移動に干渉しない位置で止めネジ３０２、３０２により、前後に調節可能であるように、土台板３０３ａの上面に固定されている。
ロッド３１０ａの先端には、外側にネジが切られているネジ部３１０ｂが固定され、このネジ部３１０ｂが、ナット３０５を介して、鳩目メス用土台３０４の後面に形成されたネジ穴に前後位置を調節して取り付けられている。従って、第２の実施の形態においては、鳩目メス用土台３０４は、ロッド３１０ａの出没に応じて前後移動するようになっており、エアシリンダ３１０がオフでロッド３１０ａが突出しているとき起立した状態で（図２８（ａ））となり、オンでロッド３１０ａが引き込まれるとネジ部３１０ｂを介して鳩目メス用土台３０４が引っ張られ、後方に移動する。
エアシリンダ３１０で押された鳩目メス用土台３０４の前方の位置は、第１の実施の形態同様に、前記ブロック体３０３ｃの後部の内部に設けられた調節ネジ１１５、１１５により決定している。
【０１０１】
上記構成を有するメスユニット３００と平面メス受け１６０（あるいは段差メス受け１６７でもよい）とによって行なう切断動作は、第１の実施の形態で述べた（１）〜（４）とほぼ同様であって、唯一、鳩目メス用土台３０４は後方に直進することで退避する点だけが異なる。
すなわち、鳩目部９０を切断する場合には、図２８（ａ）に示すように鳩目メス用土台３０４が前方にあって、平面メス受け１６０と鳩目メス１０１ｂ及び直線メス１０２ｂとが合致する。段差メス受け１６７であれば、鳩目メス１０１ｂとのみ合致する。このときの鳩目メス１０１ｂの位置が第一位置である。
【０１０２】
また、第１の実施の形態と同様のタイミングで、エアが継手１６３、１４１に供給され、切断により生じた打ち抜き片および鳩目用メス部１０１と直線用メス部１０２の間の布屑が打ち抜き片除去経路１０１ｅ、３０４ａを通り鳩目メス用土台３０４の側面から排出される。打ち抜き片は、吸引器１３４で吸引されて、排出される。
【０１０３】
直線部９１あるいは眠り目穴９４を形成する場合には、図２８（ｂ）に示すように鳩目メス用土台３０４が平面メス受け１６０（段差メス受け１６７）と干渉しない位置まで後方に退避し、平面メス受け１６０（段差メス受け１６７）と直線メス１０２ｂのみとにより布地が切断される。このときの鳩目メス１０１ｂの位置が第二位置である。
【０１０４】
以上のメスユニット３００を有する布切断装置が設けられたミシンであっても、鳩目メス１０１ｂが固定された鳩目メス用土台３０４を前後に移動できるように構成したので、前記布切断装置２０１を備えたミシン２００同様に、平面メス受け１６０を使えば、鳩目ボタン穴９２と眠り目穴９４をそれぞれ自在な長さで形成することができる。段差メス受け１６７を使えば、鳩目ボタン穴９２と眠り目穴９４をそれぞれ自在な長さで形成できるうえに、鳩目部９０のみ形成することもできる。
【０１０５】
以上、本発明の布切断装置を第１及び第２の実施の形態に基づいて説明したが、本発明はこれらの実施の形態には限定されない。例えば、各実施の形態のそれぞれで、メス受け及びメスの上下の位置関係を入れ替えてもよい。
また、第一位置と第二位置とを移動するメスあるいはメス受けの退避方向は、前後方向とは限らず横方向であってもよい。また、退避の具体的な機構も適宜変更可能である。
【０１０６】
【発明の効果】
請求項１に記載の発明によれば、鳩目穴を形成した際に発生する鳩目部の打ち抜き片を除去するために前記鳩目メス部に設けられたメス部貫通穴と、前記鳩目メス部と前記鳩目メス受け部が合致した際に一端が前記メス部貫通穴に連通して前記メス部貫通穴に向ってエアーを吐出する前記鳩目メス受け部に設けられたメス受け部貫通穴と、前記メス受け部貫通穴の他端に連結されて前記両貫通穴が連接した際にエアーを吐出するエアー吐出手段と、により構成されて前記鳩目部の打ち抜き片を外部に排出する打ち抜き片除去手段と、形成するボタン穴の種類に応じて、前記布切りメスの前記鳩目メス部と前記直線メス部の一方を、他方に対し、近接位置と隔離位置とに移動可能とする移動手段と、前記移動可能とされた一方が前記隔離位置にあることに関連して、前記エアー吐出手段によりエアーを吐出して前記移動可能とされた一方と前記他方との間に蓄積された布屑を除去する布屑除去手段とを備えたので、布切りメス及びメス受けを取りかえることなく、種々な長さの種類のボタン穴を形成できる。また、縫製中に発生した布屑を除去することにより、移動手段により鳩目メス部と直線メス部の一方を他方に対して近接位置に移動する際に妨げとならず、鳩目メス部を破損するおそれがなく鳩目メス部または直線メス部の移動がスムーズに行なえる。また、この布屑除去手段は、打ち抜き片除去手段のエアー吐出手段を用いるので、構成が複雑となることがなくコストをアップさせることなく、布屑の除去を容易に行なうことができる。
【０１０７】
請求項２に記載の発明によれば、検出手段により前記メス受け貫通穴と前記布切りメスとの間に被縫製物が無しと判定された場合のみ、前記エアー吐出手段により前記鳩目メス部と前記直線メス部との間にエアーを吐出するので、鳩目メスや直線メスの上方を送り台によって移動中の被縫製物の上からエアーを吐出することにより縫い糸や被縫製物が傷つけられるのを防止することができる。また、無駄な動作を防ぐことができる。
【図面の簡単な説明】
【図１】第１の実施の形態にかかるミシンの全体構造を一部破断した状態で示す側面図である。
【図２】第１の実施の形態にかかるミシンの全体構造を一部破断した状態で示す正面図である。
【図３】第１の実施の形態にかかるミシンの全体構造を示す背面図である。
【図４】第１の実施の形態にかかるミシンの全体構造を示す上面図である。
【図５】図１のミシンに設けられるメスユニットを示す上からの平面図である。
【図６】図５のメスユニットとこれに接続される吸引器を示す側面図であり、破断線Ｍ１により一部破断して示している。
【図７】図５のメスユニットを有する布切断装置の動作を示す側面図で、（ａ）は鳩目用メス部が起立した状態であり、（ｂ）は鳩目用メス部が倒れた状態を示す。
【図８】図５のメスユニットを有し、メス受けとして段差メス受けを用いた布切断装置の動作を示す側面図で、（ａ）は鳩目用メス部が起立した状態であり、（ｂ）は鳩目用メス部が倒れた状態を示す。
【図９】図７の動作時に鳩目ボタン穴を形成する様子を順を追って説明するための図である。
【図１０】図７または図８の動作時に眠り目穴を形成する様子を順を追って説明するための図である。
【図１１】図８の動作時に鳩目ボタン穴を形成する様子を順を追って説明するための図である。
【図１２】図１のミシンの制御装置を示すブロック図である。
【図１３】パターンデータを示す図面である。
【図１４】メスＮｏ．に対応するデータを示す図面（ａ）及び（ｂ）である。
【図１５】鳩目ボタン穴に形成される穴かがり縫い目の形状を示す図（ａ）、データテーブルを示す図（ｂ）及び眠り目ボタン穴に形成される穴かがり縫い目の形状を示す図（ｃ）である。
【図１６】メモリスイッチデータを示す図面である。
【図１７】操作パネルを示す図面である。
【図１８】ボタン穴かがり縫い目形成作業の流れを示すフローチャートである。
【図１９】ボタン穴かがり縫い目形成作業の流れを示すフローチャートである。
【図２０】布屑除去動作１の流れを示すフローチャートである。
【図２１】鳩目部の穴かがり動作中の布の位置を示すためのミシンの上からの平面図である。
【図２２】メモリスイッチ設定の流れを示すフローチャートである。
【図２３】データ設定の流れを示すフローチャートである。
【図２４】布切り動作の流れを示すフローチャートである。
【図２５】布切り動作の流れを示すフローチャートである。
【図２６】布屑除去動作２の流れを示すフローチャートである。
【図２７】第２の実施の形態のメスユニットを示す図であり、（ａ）は上からの平面図で、（ｂ）は側面図であり、１部を破断して示している。
【図２８】図２７のメスユニットを有する布切断装置の動作を示す側面図で、（ａ）は鳩目用メス部が前進している状態であり、（ｂ）は直線用メス部材が退避した状態を示す。
【符号の説明】
７７ａ，７７ｂ  エアー吐出手段
９０  鳩目部
９１  直線部
１００  布切りメス
１０１  鳩目用メス部
１０１ｅ，１０４ａ  メス部貫通穴
１０２  直線用メス部
１０８，１１０  移動手段
１６０  メス受け
１６０ａ  メス受け部貫通穴
１６０ｂ  鳩目メス受け部
１６０ｃ  直線メス受け部
１７０  布切り駆動手段
１９０  検出手段
２００  ミシン
２０１  布切り手段
【図１】
2004173783.tif 000003
【図２】
2004173783.tif 000004
【図３】
2004173783.tif 000005
【図４】
2004173783.tif 000006
【図５】
2004173783.tif 000007
【図６】
2004173783.tif 000008
【図７】
2004173783.tif 000009
【図８】
2004173783.tif 000010
【図９】
2004173783.tif 000011
【図１０】
2004173783.tif 000012
【図１１】
2004173783.tif 000013
【図１２】
2004173783.tif 000014
【図１３】
2004173783.tif 000015
【図１４】
2004173783.tif 000016
【図１５】
2004173783.tif 000017
【図１６】
2004173783.tif 000018
【図１７】
2004173783.tif 000019
【図１８】
2004173783.tif 000020
【図１９】
2004173783.tif 000021
【図２０】
2004173783.tif 000022
【図２１】
2004173783.tif 000023
【図２２】
2004173783.tif 000024
【図２３】
2004173783.tif 000025
【図２４】
2004173783.tif 000026
【図２５】
2004173783.tif 000027
【図２６】
2004173783.tif 000028
【図２７】
2004173783.tif 000029
【図２８】
2004173783.tif 000030